(57)【要約】【課題】本発明は、設定パラメータを管理対象装置に投入する前に、その設定パラメータが適切であるかを提示できる管理装置を提供する。【解決手段】管理装置１０は、設定結果に関する統計情報を予め記憶した統計情報データベース１２０と、設定パラメータの組を入力する事前入力部１００と、設定パラメータの組に対応した統計情報を統計情報データベース１２０から検索する統計情報検索部１１０と、設定パラメータの組を管理対象装置３０に投入し、その設定結果を管理対象装置３０から受信する実行制御部１６０と、その設定結果に基づいて、統計情報を更新する統計情報更新部１７０と、を備える。【選択図】図３
2017215885.tif 000002
【特許請求の範囲】
【請求項１】
ネットワークを介して管理対象装置に設定パラメータの組を投入し、前記管理対象装置の設定を行う管理装置であって、
前記管理対象装置に投入済みの設定パラメータの組毎に、設定結果に関する統計情報を予め記憶した統計情報データベースと、
外部から前記管理対象装置に投入する設定パラメータの組を入力する設定パラメータ入力部と、
前記統計情報を前記統計情報データベースから検索する統計情報検索部と、
前記設定パラメータの組を前記管理対象装置に投入し、投入した前記設定パラメータの組に応じた設定結果を前記管理対象装置から受信する設定パラメータ投入部と、
前記設定パラメータ投入部が受信した設定結果に基づいて、前記統計情報を更新する統計情報更新部と、を備え、
前記設定パラメータ入力部は、前記統計情報検索部が検索した統計情報を外部に提示することを特徴とする管理装置。
【請求項２】
前記統計情報検索部は、前記設定パラメータ入力部に入力した設定パラメータの組に対応した統計情報を、前記統計情報データベースから検索することを特徴とする請求項１に記載の管理装置。
【請求項３】
前記統計情報データベースは、前記統計情報として、前記設定パラメータの組毎の累積投入回数、累積成功回数及び累積失敗回数と、設定に失敗した原因毎の失敗回数とを記憶し、
前記統計情報更新部は、前記設定パラメータ投入部が受信した設定結果に基づいて、前記累積投入回数と、前記累積成功回数と、前記累積失敗回数と、前記設定に失敗した原因毎の失敗回数とを更新することを特徴とする請求項１又は請求項２に記載の管理装置。
【請求項４】
設定に失敗する前記設定パラメータの組を格納した設定失敗リストを、予め記憶する設定失敗リスト記録部をさらに備え、
前記統計情報検索部は、前記設定パラメータ入力部に入力した設定パラメータの組があるか否かを判定し、
前記設定パラメータ入力部は、前記設定パラメータの組が前記設定失敗リストにある場合、設定に失敗する旨を外部に提示することを特徴とする請求項１から請求項３の何れか一項に記載の管理装置。
【請求項５】
前記設定パラメータ入力部は、外部に提示した前記統計情報に応じて、前記設定パラメータの組を修正できることを特徴とする請求項１から請求項４の何れか一項に記載の管理装置。
【請求項６】
前記統計情報検索部は、設定に失敗した回数が多い順に予め設定した数の前記統計情報を前記統計情報データベースから検索することを特徴とする請求項１に記載の管理装置。
【請求項７】
コンピュータを、請求項１から請求項６の何れか一項に記載の管理装置として機能させるための管理プログラム。
【請求項８】
ネットワークを介して管理対象装置に設定パラメータの組を投入し、前記管理対象装置の設定を行う管理方法であって、
外部から前記管理対象装置に投入する設定パラメータの組を入力する入力ステップと、
前記入力ステップで入力した設定パラメータの組に対応した統計情報を統計情報データベースから検索する検索ステップと、
前記検索ステップで検索した統計情報を外部に提示する提示ステップと、
前記入力ステップで入力した設定パラメータの組を前記管理対象装置に投入する投入ステップと、
前記投入ステップで投入した設定パラメータの組に応じた設定結果を受信する受信ステップと、
前記受信ステップで受信した設定結果に基づいて、前記統計情報データベースの統計情報を更新する更新ステップと、を実行することを特徴とする管理方法。
【発明の詳細な説明】
【技術分野】
【０００１】
本発明は、管理対象装置を管理する管理装置(ＥＭＳ:Element Management System)、そのプログラム及びその方法に関する。
【背景技術】
【０００２】
管理装置は、ネットワークを介して、伝送装置等の管理対象装置に接続し、管理対象装置に各種の設定を行う（特許文献１参照）。このとき、オペレータは、管理装置の設定画面で複数の設定パラメータを選択することで、管理装置に対して、管理対象装置への設定パラメータを投入する。
【０００３】
この特許文献１に記載のオペレーションシステム（ＯｐＳ：Operation System）装置は、複数のベンダ及び複数の機種のネットワークエレメント（ＮＥ：Network Element）で構成されるネットワークにおいて、ＯｐＳのオペレータの負担と、ＯｐＳのサーバのＥＯＬ（End of Life）時、ＮＥの仕様変更や機種変更時における対応負荷とを軽減する。
【先行技術文献】
【特許文献】
【０００４】
【特許文献１】特開２０１４−１３２３７８号公報
【発明の概要】
【発明が解決しようとする課題】
【０００５】
しかし、オペレータは、従来の管理装置を介して管理対象装置に設定パラメータの組を投入する前に、自ら選択した設定パラメータの組が適切であるかどうかを知ることができない。
【０００６】
これに加えて、管理対象装置が設定エラーを応答した場合、様々な設定エラーの要因が想定される。さらに、設定可否のみを応答する管理対象装置も存在するので、設定エラーの要因を正しく想定し、設定パラメータを選択しなおすことは困難である。つまり、オペレータが選択した設定パラメータの組自体が適切ではない場合や、選択した設定パラメータの組は適切だが、管理対象装置に依存した設定エラーを引き起こす場合など、様々な要因が想定される。
【０００７】
このように設定エラーの要因の想定が困難なので、オペレータは、設定が成功するまで、管理対象装置に何度も設定パラメータを投入することがある。その結果、管理対象装置では、設定内容に矛盾が生じたり、格納しているユーザデータに悪影響を及ぼすという問題がある。
【０００８】
本発明は、前記した問題を解決し、設定パラメータを管理対象装置に投入する前に、その設定パラメータが適切であるかを提示できる管理装置、そのプログラム及びその方法を提供することを目的とする。
【課題を解決するための手段】
【０００９】
本発明に係る管理装置は、ネットワークを介して管理対象装置に設定パラメータの組を投入し、前記管理対象装置の設定を行う管理装置であって、前記管理対象装置に投入済みの設定パラメータの組毎に、設定結果に関する統計情報を予め記憶した統計情報データベースと、外部から前記管理対象装置に投入する設定パラメータの組を入力する設定パラメータ入力部と、前記統計情報を前記統計情報データベースから検索する統計情報検索部と、前記設定パラメータの組を前記管理対象装置に投入し、投入した前記設定パラメータの組に応じた設定結果を前記管理対象装置から受信する設定パラメータ投入部と、前記設定パラメータ投入部が受信した設定結果に基づいて、前記統計情報を更新する統計情報更新部と、を備え、前記設定パラメータ入力部は、前記統計情報検索部が検索した統計情報を外部に提示することを特徴とする。
【００１０】
かかる構成によれば、管理装置は、設定パラメータの組を管理対象装置に投入する前に統計情報をオペレータ等の外部に提示する。従って、オペレータは、その統計情報を参照することで、自ら入力した設定パラメータの組が適切であるか否かを事前に確認できる。
【００１１】
また、本発明に係る管理装置において、前記統計情報検索部は、前記設定パラメータ入力部に入力した設定パラメータの組に対応した統計情報を、前記統計情報データベースから検索することが好ましい。
【００１２】
かかる構成によれば、管理装置は、オペレータが入力した設定パラメータの組に対応する統計情報をオペレータに提示する。従って、オペレータは、その統計情報を参照することで、自ら入力した設定パラメータの組が適切であるか否かを容易に確認できる。
【００１３】
また、本発明に係る管理装置において、前記統計情報データベースは、前記統計情報として、前記設定パラメータの組毎の累積投入回数、累積成功回数及び累積失敗回数と、設定に失敗した原因毎の失敗回数とを記憶し、前記統計情報更新部は、前記設定パラメータ投入部が受信した設定結果に基づいて、前記累積投入回数と、前記累積成功回数と、前記累積失敗回数と、前記設定に失敗した原因毎の失敗回数とを更新することが好ましい。
【００１４】
かかる構成によれば、管理装置は、累積投入回数、累積成功回数、累積失敗回数等の投入実績をオペレータに提示する。従って、オペレータは、その投入実績を参照することで、自ら入力した設定パラメータの組が適切であるか否かを容易に判定できる。さらに、オペレータは、設定に失敗した原因毎の失敗回数を参照することで、その要因も容易に推定できる。
【００１５】
また、本発明に係る管理装置において、設定に失敗する前記設定パラメータの組を格納した設定失敗リストを、予め記憶する設定失敗リスト記録部をさらに備え、前記統計情報検索部は、前記設定パラメータ入力部に入力した設定パラメータの組があるか否かを判定し、前記設定パラメータ入力部は、前記設定パラメータの組が前記設定失敗リストにある場合、設定に失敗する旨を外部に提示することを特徴とすることが好ましい。
【００１６】
かかる構成によれば、管理装置は、オペレータが入力した設定パラメータの組が設定に失敗する場合、その旨をオペレータに提示する。従って、オペレータは、自ら入力した設定パラメータの組が不適切であると即座に確認できる。
【００１７】
また、本発明に係る管理装置において、前記設定パラメータ入力部は、外部に提示した前記統計情報に応じて、前記設定パラメータの組を修正できることが好ましい。
かかる構成によれば、管理装置は、統計情報を参照しながら、オペレータが設定パラメータの組を素早く修正できる。
【００１８】
また、本発明に係る管理装置において、前記統計情報検索部は、設定に失敗した回数が多い順に予め設定した数の前記統計情報を前記統計情報データベースから検索することが好ましい。
【００１９】
かかる構成によれば、管理装置は、設定に失敗した回数が多い設定パラメータの組について、統計情報をオペレータに提示する。従って、オペレータは、設定に失敗する可能性が高い設定パラメータの組を容易に推定できる。
【００２０】
また、本発明に係る管理方法は、ネットワークを介して管理対象装置に設定パラメータの組を投入し、前記管理対象装置の設定を行う管理方法であって、外部から前記管理対象装置に投入する設定パラメータの組を入力する入力ステップと、前記入力ステップで入力した設定パラメータの組に対応した統計情報を統計情報データベースから検索する検索ステップと、前記検索ステップで検索した統計情報を外部に提示する提示ステップと、前記入力ステップで入力した設定パラメータの組を前記管理対象装置に投入する投入ステップと、前記投入ステップで投入した設定パラメータの組に応じた設定結果を受信する受信ステップと、前記受信ステップで受信した設定結果に基づいて、前記統計情報データベースの統計情報を更新する更新ステップと、を実行することを特徴とする。
【００２１】
かかる手順によれば、管理方法において、設定パラメータの組を管理対象装置に投入する前に統計情報をオペレータに提示する。従って、オペレータは、その統計情報を参照することで、自ら入力した設定パラメータの組が適切であるか否かを事前に確認できる。
【００２２】
なお、本発明は、コンピュータが備えるＣＰＵ（Central Processing Unit）、ＨＤＤ（Hard Disk Drive）等のハードウェア資源を管理装置として協調動作させる管理プログラムで実現することもできる。
【発明の効果】
【００２３】
本発明によれば、設定パラメータを管理対象装置に投入する前に、その設定パラメータが適切であるかを提示できる。
【図面の簡単な説明】
【００２４】
【図１】本発明の概要として、統計情報の記憶を説明する説明図である。
【図２】本発明の概要として、統計情報の提示を説明する説明図である。
【図３】本実施形態に係る管理装置の構成を示すブロック図である。
【図４】本実施形態において、パラメータ設定画面を説明する説明図である。
【図５】図３の管理装置が送受信する伝文のうち、統計情報の記憶に関係した伝文を示した説明図である。
【図６】本実施形態において、統計情報確認画面の第１例を説明する説明図である。
【図７】本実施形態において、統計情報確認画面の第２例を説明する説明図である。
【図８】図３の管理装置が送受信する伝文のうち、ＮＧ設定情報の取得に関係した伝文を示した説明図である。
【図９】図３の管理装置が送受信する伝文のうち、統計情報データベースの検索に関係した伝文を示した説明図である。
【図１０】（ａ）は統計情報データベースが記憶する統計情報の説明図であり、（ｂ）はＮＧリストファイル記憶部が記憶するＮＧ設定情報の説明図である。
【図１１】ＮＧ設定情報がないときの管理装置の動作を示すシーケンス図である。
【図１２】ＮＧ設定情報があるときの管理装置の動作を示すシーケンス図である。
【発明を実施するための形態】
【００２５】
［管理システムの概要］
図１，図２を参照し、管理システム１の概要について説明する。
図１に示すように、管理システム１は、管理装置１０と、ＨＭＩ（Human Machine Interface）２０と、管理対象装置３０とを備える。この管理システム１は、図示を省略したネットワークを介して、管理装置１０、及び、管理対象装置３０を接続する。
【００２６】
管理装置１０は、ネットワークを介して、管理対象装置３０に設定パラメータの組を投入し、その管理対象装置３０を管理する。ここで、管理装置１０は、各管理対象装置３０に対し、個別に設定パラメータの組を投入する。また、管理装置１０は、図示を省略したケーブルを介して、ＨＭＩ２０に接続する。
【００２７】
ＨＭＩ２０は、管理装置１０とオペレータ（不図示）とのインターフェースである。例えば、ＨＭＩ２０は、後記する統計情報を表示するディスプレイと、後記する設定パラメータの組を入力するマウスやキーボードとで構成される。
【００２８】
管理対象装置３０は、管理装置１０の管理対象となる装置であり、例えば、ルータ等の伝送装置である。なお、管理対象装置３０は、２台に限られず、その台数が特に制限されない。
【００２９】
ここで、管理装置１０は、管理対象装置３０の設定結果に関する統計情報を予め記憶する。そして、管理装置１０は、オペレータが新たな設定を行う際、その設定に関する統計情報をオペレータに提示する。つまり、管理装置１０は、大きく分けて、統計情報の記憶、及び、統計情報の提示という２つの処理で構成される。
【００３０】
＜統計情報の記憶＞
まず、図１を参照し、統計情報の記憶について説明する。
図１に示すように、設定パラメータの組が、設定パラメータ１〜３の３種類であることとする。例えば、設定パラメータ１は、‘ＬＲ’、‘ＥＲ’等の１０ギガイーサネット（登録商標）の光モジュール種別である。また、例えば、設定パラメータ２は、‘ＮＮＩ（Network Network Interface）’、‘ＵＮＩ（User Network Interface）’等のネットワーク種別である。また、例えば、設定パラメータ３は、フローコントロールの有無である。つまり、設定パラメータ３が‘ＯＮ’の場合、フローコントロールを行う。一方、設定パラメータ３が‘ＯＦＦ’ の場合、フローコントロールを行わない。
なお、各図面では、設定パラメータ１〜３をそれぞれ、設定１〜３と図示した。
【００３１】
また、設定パラメータの組は、所定の設定ルール（規則）がある。この設定ルールを満たす場合、その設定パラメータの組を管理対象装置３０に設定できる。一方、設定ルールを満たさない場合、その設定パラメータの組を管理対象装置３０に設定できない。
【００３２】
例えば、設定ルールは、以下のように規定する。
設定パラメータ１が‘ＬＲ’の場合、設定パラメータ２に‘ＮＮＩ’及び‘ＵＮＩ’を設定できる。一方、設定パラメータ１が‘ＥＲ’の場合、設定パラメータ２に‘ＵＮＩ’のみ設定できる。
また、設定パラメータ２が‘ＮＮＩ’の場合、設定パラメータ３に‘ＯＮ’のみ設定できる。一方、設定パラメータ２が‘ＵＮＩ’の場合、設定パラメータ３に‘ＯＦＦ’のみ設定できる。
【００３３】
図１に示すように、管理装置１０は、設定パラメータの組を表した伝文（電文）ｍ１を、ＨＭＩ２０から受信したこととする。この設定パラメータの組（伝文ｍ１）は、設定パラメータ１が‘ＬＲ’、設定パラメータ２が‘ＮＮＩ’、設定パラメータ３が‘ＯＦＦ’である。従って、この設定パラメータの組（伝文ｍ１）は、前記した設定ルールを満たしていない。
【００３４】
管理装置１０は、設定パラメータの組（伝文ｍ１）を装置コマンド（伝文ｍ２）に変換する。この装置コマンドは、管理対象装置３０に対する、各設定パラメータの内容で設定を行う命令である。そして、管理装置１０は、変更した装置コマンド（伝文ｍ２）を管理対象装置３０に投入（送信）する。すると、管理対象装置３０は、投入した装置コマンド（伝文ｍ２）に従って設定を行った後、その設定結果（伝文ｍ３）を生成し、管理装置１０に送信する。
【００３５】
この設定結果（伝文ｍ３）は、設定の成功又は失敗を表す。例えば、設定結果（伝文ｍ３）は、設定の成功を‘ＯＫ’で表し、設定の失敗を‘ＮＧ’で表す。また、設定結果（伝文ｍ３）は、設定に失敗した場合、その失敗原因を表すＮＧコード（エラーコード）を付加する。なお、ＮＧコードは、管理システム１で予め規定される。
【００３６】
ここで、管理対象装置３０は、装置コマンド（伝文ｍ２）の設定に失敗したこととする。そこで、管理対象装置３０は、設定の失敗を表す‘ＮＧ’、及び、ＮＧコード‘１００１’を、設定結果（伝文ｍ３）として管理装置１０に送信する。
【００３７】
管理装置１０は、管理対象装置３０に投入した設定パラメータの組（伝文ｍ１）、及び、この設定パラメータの組に応じた設定結果（伝文ｍ３）を対応づけて、設定結果情報（伝文ｍ４）を生成する。
【００３８】
そして、管理装置１０は、設定結果情報（伝文ｍ４）に応じて、統計情報を更新、記憶する。具体的には、管理装置１０は、試行回数（累積投入回数）、総エラー回数（累積失敗回数）、及び、ＮＧコード回数（エラーコード毎の失敗回数）にそれぞれ‘１’を加算し、統計情報を更新する（伝文ｍ５）。
なお、管理装置１０は、設定に成功した場合、総エラー回数及びＮＧコード回数を加算する代わりに、総成功回数に‘１’を加算し、統計情報を更新する。
【００３９】
以上のように、管理装置１０は、管理対象装置３０に投入した設定パラメータの組（伝文ｍ１）について、その設定結果（伝文ｍ３）に関する統計情報を予め記憶する。そして、管理装置１０は、オペレータが新たに設定を行う際、その統計情報をオペレータに提示する。
【００４０】
＜統計情報の提示＞
次に、図２を参照し、統計情報の提示について説明する。
管理装置１０は、設定パラメータの組（伝文ｍ１）に対応した統計情報（伝文ｍ６）を取得する。具体的には、管理装置１０は、設定パラメータ１が‘ＬＲ’、設定パラメータ２が‘ＮＮＩ’、設定パラメータ３が‘ＯＦＦ’の組に対応した統計情報（伝文ｍ６）を取得し、取得した統計情報（伝文ｍ６）をＨＭＩ２０に送信する。
【００４１】
例えば、統計情報（伝文ｍ６）は、設定パラメータ１が‘ＬＲ’、設定パラメータ２が‘ＮＮＩ’、設定パラメータ３が‘ＯＦＦ’を表す。また、例えば、統計情報（伝文ｍ６）は、試行回数が‘１６回’、総エラー回数が‘１６回’、総成功回数が‘０回’を表す。また、伝文ｍ６は、ＮＧコード‘１００１’のＮＧコード回数が‘１０回’、ＮＧコード‘１００２’のＮＧコード回数が‘３回’、ＮＧコード‘１００３’のＮＧコード回数が‘２回’、ＮＧコード‘１００４’のＮＧコード回数が‘１回’を表す。
【００４２】
以上のように、管理装置１０は、設定パラメータの組（伝文ｍ１）を管理対象装置３０に投入する前に統計情報（伝文ｍ６）をオペレータに提示する。従って、オペレータは、その統計情報（伝文ｍ６）を参照することで、自ら入力した設定パラメータの組（伝文ｍ１）が適切であるか否かを事前に判定できる。
【００４３】
（実施形態）
［管理装置の構成]
図３を参照し、本発明の実施形態に係る管理装置１０の構成について説明する。
図３に示すように、管理装置１０は、事前入力部（設定パラメータ入力部）１００と、統計情報検索部１１０と、統計情報データベース１２０と、ＮＧリストファイル記憶部（設定失敗リスト記録部）１３０と、入力部１４０と、コマンド変換部１５０と、実行制御部（設定パラメータ投入部）１６０と、統計情報更新部１７０と、出力部１８０とを備える。
【００４４】
事前入力部１００は、ＨＭＩ２０に対する入出力インターフェースである。
具体的には、事前入力部１００は、パラメータ設定画面２００（図４）、及び、統計情報確認画面３００（図６）をＨＭＩ２０に表示する。
【００４５】
＜パラメータ設定画面＞
図４に示すように、パラメータ設定画面２００は、オペレータが設定パラメータの組を入力する画面であり、３個のリストボックス２１０〜２３０と、確認ボタン２４０と、取消ボタン２５０とを備える。
【００４６】
リストボックス２１０は、光モジュール種別を入力するものであり、例えば、‘ＬＲ’又は‘ＥＲ’を選択入力する。
リストボックス２２０は、ネットワーク種別を入力するものであり、‘ＮＮＩ’又は‘ＵＮＩ’を選択入力する。
リストボックス２３０は、フローコントロールの有無を入力するものであり、‘ＯＮ’又は‘ＯＦＦ’を選択入力する。
【００４７】
確認ボタン２４０は、オペレータが入力した設定パラメータの組について、統計情報を確認するボタンである。
取消ボタン２５０は、パラメータ設定画面２００を閉じるボタンである。
【００４８】
オペレータが確認ボタン２４０をクリックした場合、事前入力部１００は、図５に示すように、設定パラメータの組（伝文ｍ１）をＨＭＩ２０から受信する。そして、事前入力部１００は、ＨＭＩ２０から受信した設定パラメータの組（伝文ｍ１）を統計情報検索部１１０に送信する。
【００４９】
＜統計情報確認画面＞
図６に示すように、統計情報確認画面３００は、統計情報検索部１１０から受信した統計情報（伝文ｍ６）をオペレータに提示すると共に、オペレータが設定パラメータの組を修正する画面であり、統計情報表示フィールド３１０と、設定パラメータ修正フィールド３２０とを備える。
【００５０】
統計情報表示フィールド３１０は、事前入力部１００が受信した統計情報（伝文ｍ６）を表示するフィールドである。また、統計情報表示フィールド３１０は、図７に示すように、後記するＮＧ設定通知（伝文ｍ７）を事前入力部１００が受信した場合、そのＮＧ設定通知（伝文ｍ７）を表示する。
【００５１】
設定パラメータ修正フィールド３２０は、オペレータが設定パラメータの組を修正するフィールドであり、３個のリストボックス３３０〜３５０と、決定ボタン３６０と、取消ボタン３７０とを備える。
【００５２】
リストボックス３３０〜３５０は、リストボックス２１０〜２３０と同様である。また、リストボックス３３０〜３５０は、リストボックス２１０〜２３０で入力した設定パラメータの内容を初期値として表示する。
【００５３】
決定ボタン３６０は、オペレータが修正した設定パラメータの組を管理対象装置３０に投入（送信）するボタンである。
取消ボタン３７０は、統計情報確認画面３００を閉じるボタンである。
【００５４】
オペレータが決定ボタン３６０をクリックした場合、事前入力部１００は、オペレータが設定パラメータの組の投入を指示したと判定する。この場合、事前入力部１００は、図５に示すように、設定パラメータの組（伝文ｍ１）を、入力部１４０に送信する。
【００５５】
なお、設定パラメータの組（伝文ｍ１）を修正する必要がない場合、リストボックス３３０〜３５０を操作せずに、決定ボタン３６０をクリックすればよい。この場合、事前入力部１００は、パラメータ設定画面２００で入力した設定パラメータの組（伝文ｍ１）をそのまま入力部１４０に送信する。
【００５６】
以上のように、統計情報確認画面３００は、管理対象装置３０に投入しようとする設定パラメータの組（伝文ｍ１）について、その統計情報（伝文ｍ６）を表示する。従って、オペレータは、自ら入力した設定パラメータの組（伝文ｍ１）が適切であるか否かを、管理対象装置３０に投入する前に判定できる。さらに、オペレータは、設定パラメータの組（伝文ｍ１）が不適切と判定した場合、その設定パラメータの組（伝文ｍ１）を統計情報確認画面３００で修正できる。このように、管理装置１０は、統計情報確認画面３００をオペレータに提示することで、オペレータが管理対象装置３０の設定に失敗する事態を軽減できる。
【００５７】
図３に戻り、管理装置１０の構成について説明を続ける。
統計情報検索部１１０は、事前入力部１００から設定パラメータの組（伝文ｍ１）を受信する。そして、統計情報検索部１１０は、図８に示すように、ＮＧリストファイル記憶部１３０を参照し、受信した設定パラメータの組（伝文ｍ１）に対応するＮＧ設定情報（設定失敗リスト）ｄ２があるか否かを判定する。
【００５８】
ＮＧ設定情報ｄ２がある場合、統計情報検索部１１０は、その設定パラメータの組（伝文ｍ１）で設定に必ず失敗する旨のＮＧ設定通知（伝文ｍ７）を生成し、生成したＮＧ設定通知（伝文ｍ７）を事前入力部１００に送信する。
【００５９】
ＮＧ設定情報ｄ２がない場合、統計情報検索部１１０は、図９に示すように、受信した設定パラメータの組（伝文ｍ１）に対応する統計情報ｄ１を統計情報データベース１２０から検索し、取得する。そして、統計情報検索部１１０は、取得した統計情報（伝文ｍ６）を事前入力部１００に送信する。
【００６０】
統計情報データベース１２０は、図１０（ａ）に示すように、統計情報ｄ１を記憶するデータベースである。この統計情報データベース１２０は、設定パラメータ１〜３の組毎に、試行回数、総エラー回数及びＮＧコード回数を統計情報ｄ１として記憶する。
【００６１】
図１０（ａ）では、統計情報データベース１２０は、設定パラメータ１が‘ＬＲ’、設定パラメータ２が‘ＮＮＩ’、設定パラメータ３が‘ＯＦＦ’の統計情報ｄ２と、設定パラメータ１が‘ＥＲ’、設定パラメータ２が‘ＵＮＩ’、設定パラメータ３が‘ＯＮ’の統計情報ｄ２とを記憶している。
なお、設定パラメータの組及び統計情報は、各設定パラメータの識別子に相当する情報を予め設定することで、これらの対応付けが可能である。
【００６２】
ＮＧリストファイル記憶部１３０は、図１０（ｂ）に示すように、ＮＧ設定情報ｄ２を予め記憶する、例えば、ＨＤＤやメモリである。このＮＧ設定情報ｄ２は、設定に必ず失敗する設定パラメータの組を１以上格納する。
【００６３】
図１０（ｂ）では、ＮＧ設定情報ｄ２は、設定パラメータ１が‘ＬＲ’、設定パラメータ２が‘ＵＮＩ’、設定パラメータ３が‘ＯＮ’の場合、設定に必ず失敗することを表す。また、ＮＧ設定情報ｄ２は、設定パラメータ１が‘ＥＲ’、設定パラメータ２が‘ＮＮＩ’、設定パラメータ３が‘ＯＮ’の場合、設定に必ず失敗することを表す。
【００６４】
図３に戻り、管理装置１０の構成について説明を続ける。
入力部１４０は、事前入力部１００から設定パラメータの組（伝文ｍ１）を受信し、受信した設定パラメータの組（伝文ｍ１）をコマンド変換部１５０に送信する。
【００６５】
コマンド変換部１５０は、入力部１４０から設定パラメータの組（伝文ｍ１）を受信し、受信した設定パラメータの組（伝文ｍ１）に含まれる各設定パラメータを装置コマンド（伝文ｍ２）に変換する。そして、コマンド変換部１５０は、変換した装置コマンド（伝文ｍ２）を実行制御部１６０に送信する。
【００６６】
例えば、コマンド変換部１５０は、図５に示すように、設定パラメータの組（伝文ｍ１）の“設定１  ＬＲ”を装置コマンド“Ｐａｒａｍｅｔｅｒ１  ＬＲ”に変換し、“設定２  ＮＮＩ”を装置コマンド“Ｐａｒａｍｅｔｅｒ２  ＮＮＩ”に変換し、“設定３  ＯＦＦ”を装置コマンド“Ｐａｒａｍｅｔｅｒ３  ＯＦＦ”に変換する。そして、コマンド変換部１５０は、これら３つの装置コマンドを‘Ｓｅｔ’で１つにまとめ、装置コマンド（伝文ｍ２）を生成する。
【００６７】
また、コマンド変換部１５０は、実行制御部１６０から、装置コマンド（伝文ｍ２）に対する設定結果（伝文ｍ３）を受信する。すると、コマンド変換部１５０は、装置コマンドに対応した設定パラメータの組（伝文ｍ１）と設定結果（伝文ｍ３）とを対応づけて、設定結果情報（伝文ｍ４）を生成する。その後、コマンド変換部１５０は、生成した設定結果情報（伝文ｍ４）を統計情報更新部１７０に送信する。
【００６８】
実行制御部１６０は、コマンド変換部１５０から装置コマンド（伝文ｍ２）を受信し、受信した装置コマンド（伝文ｍ２）を管理対象装置３０に投入する。また、実行制御部１６０は、投入した装置コマンド（伝文ｍ２）に応じて、管理対象装置３０から設定結果（伝文ｍ３）を受信する。そして、実行制御部１６０は、受信した設定結果（伝文ｍ３）をコマンド変換部１５０に送信する。このように、実行制御部１６０は、装置コマンド（伝文ｍ２）の投入と、その設計結果（伝文ｍ３）の受信とを繰り返す。
【００６９】
図５では、実行制御部１６０は、装置コマンド（伝文ｍ２）として、‘Ｓｅｔ（Ｐａｒａｍｅｔｅｒ１  ＬＲ，Ｐａｒａｍｅｔｅｒ２  ＮＮＩ，Ｐａｒａｍｅｔｅｒ３  ＯＦＦ）’を管理対象装置３０に投入する。そして、実行制御部１６０は、この装置コマンド（伝文ｍ２）に応じた設定結果（伝文ｍ３）として、‘ＮＧ：１００１’を管理対象装置３０から受信する。
【００７０】
統計情報更新部１７０は、コマンド変換部１５０から設定結果情報（伝文ｍ４）を受信し、受信した設定結果情報（伝文ｍ４）に基づいて、統計情報データベース１２０が記憶する統計情報ｄ１を更新する。
【００７１】
図５では、統計情報更新部１７０は、設定結果情報（伝文ｍ４）が設定の失敗を表すので、設定パラメータ１が‘ＬＲ’、設定パラメータ２が‘ＮＮＩ’、設定パラメータ３が‘ＯＦＦ’の統計情報ｄ１を更新する（伝文ｍ５）。具体的には、統計情報更新部１７０は、この統計情報ｄ１について、試行回数、総エラー回数、及び、ＮＧコード‘１００１’のＮＧコード回数に‘１’を加算する。
なお、統計情報更新部１７０は、設定結果情報が設定の成功を表す場合、総成功回数に‘１’を加算し、統計情報ｄ１を更新する。
【００７２】
また、統計情報更新部１７０は、設定結果をオペレータに提示するため、統計情報の更新後、設定結果情報（伝文ｍ４）を出力部１８０に送信する。
【００７３】
出力部１８０は、統計情報更新部１７０から設定結果情報（伝文ｍ４）を受信し、受信した設定結果情報（伝文ｍ４）に基づいて、設定結果通知（伝文ｍ８）を生成する。そして、出力部１８０は、生成した設定結果通知（伝文ｍ８）をＨＭＩ２０に表示する。
【００７４】
この設定結果通知（伝文ｍ８）は、設定の成功又は失敗を表すメッセージである。また、設定結果通知（伝文ｍ８）は、設定に失敗した場合、その失敗原因を表すＮＧコードを付加する。
例えば、設定結果通知（伝文ｍ８）は、設定に失敗した場合、「設定に失敗しました」というメッセージと、ＮＧコード‘１００１’とを表す。一方、設定結果通知（伝文ｍ８）は、設定に成功した場合、「設定に成功しました」というメッセージを表す。
【００７５】
［管理装置の動作：ＮＧ設定情報がないケース]
図１１を参照し、ＮＧ設定情報がないときの管理装置１０の動作を説明する（適宜図３参照）。
【００７６】
図１１に示すように、事前入力部１００は、パラメータ設定画面２００をＨＭＩ２０に表示する。そして、事前入力部１００は、オペレータがパラメータ設定画面２００で入力した設定パラメータの組を、ＨＭＩ２０から受信する（ステップＳ１）。
【００７７】
事前入力部１００は、設定パラメータの組を統計情報検索部１１０に送信する（ステップＳ２）
統計情報検索部１１０は、ＮＧリストファイル記憶部１３０を参照し、設定パラメータの組に対応するＮＧ設定情報があるか否かを判定する（ステップＳ３）。
このステップＳ３の処理において、統計情報検索部１１０は、ＮＧ設定情報がないと判定したこととする。
【００７８】
統計情報検索部１１０は、設定パラメータの組に対応する統計情報を統計情報データベース１２０から検索し（ステップＳ４）、取得する（ステップＳ５）。
統計情報検索部１１０は、ステップＳ５で取得した統計情報を事前入力部１００に送信する（ステップＳ６）。
事前入力部１００は、統計情報確認画面３００をＨＭＩ２０に表示し、統計情報をオペレータに提示する（ステップＳ７）。
【００７９】
事前入力部１００は、オペレータが統計情報確認画面３００で修正した設定パラメータの組を、ＨＭＩ２０から受信する（ステップＳ８）。
事前入力部１００は、設定パラメータの組を、入力部１４０に送信する（ステップＳ９）。
入力部１４０は、設定パラメータの組をコマンド変換部１５０に送信する（ステップＳ１０）。
【００８０】
コマンド変換部１５０は、設定パラメータの組を装置コマンドに変換し、その装置コマンドを実行制御部１６０に送信する（ステップＳ１１）。
実行制御部１６０は、装置コマンドを管理対象装置３０に投入する（ステップＳ１２）。
実行制御部１６０は、ステップＳ１２で投入した装置コマンドに応じて、管理対象装置３０から設定結果を受信する（ステップＳ１３）。
実行制御部１６０は、設定結果をコマンド変換部１５０に送信する（ステップＳ１４）。
【００８１】
コマンド変換部１５０は、設定パラメータの組及び設定結果を対応付けて、設定結果情報を生成する。そして、コマンド変換部１５０は、生成した設定結果情報を統計情報更新部１７０に送信する（ステップＳ１５）。
【００８２】
統計情報更新部１７０は、設定結果情報に基づいて、統計情報データベース１２０が記憶する統計情報を更新する（ステップＳ１６）。
統計情報更新部１７０は、設定結果情報を出力部１８０に送信する（ステップＳ１７）。
出力部１８０は、受信した設定結果情報に基づいて設定結果通知を生成し、生成した設定結果通知をＨＭＩ２０に表示する（ステップＳ１８）。
【００８３】
［管理装置の動作：ＮＧ設定情報があるときのケース]
図１２を参照し、ＮＧ設定情報があるときの管理装置１０の動作を説明する（適宜図３参照）。
【００８４】
統計情報検索部１１０は、ＮＧリストファイル記憶部１３０を参照し、設定パラメータの組に対応するＮＧ設定情報があるか否かを判定する（ステップＳ２０）。
このステップＳ２０の処理において、統計情報検索部１１０は、ＮＧ設定情報があると判定したこととする。
【００８５】
統計情報検索部１１０は、ＮＧ設定情報を取得し（ステップＳ２１）、事前入力部１００に送信する（ステップＳ２２）。
事前入力部１００は、統計情報確認画面３００をＨＭＩ２０に表示し、ＮＧ設定情報をオペレータに提示する（ステップＳ２３）。
なお、ステップＳ１，Ｓ２，Ｓ８〜Ｓ１８の処理は、図１０と同様のため、説明を省略した。
【００８６】
［作用・効果］
以上のように、管理装置１０は、設定パラメータの組を管理対象装置３０に投入する前に統計情報をオペレータに提示する。従って、オペレータは、その統計情報を参照することで、自ら入力した設定パラメータの組が適切であるか否かを事前に判定できる。
【００８７】
これにより、管理装置１０は、設定に成功するまで、オペレータが設定パラメータの変更と投入とを繰り返すような試行錯誤を防止し、適切な設定パラメータの組をオペレータが素早く確認できる。従って、管理装置１０は、オペレータが設定パラメータの投入に要する手間を軽減できる。
【００８８】
さらに、管理装置１０は、管理対象装置３０を改修せずに導入できる。これに加え、管理装置１０は、管理対象装置３０の仕様変更やバージョンアップが発生した場合でも、そのまま継続利用できる。このように、管理装置１０は、その導入コスト及び運用コストに優れている。
【００８９】
（変形例）
以上、本発明の各実施形態を詳述してきたが、本発明は前記した実施形態に限られるものではなく、本発明の要旨を逸脱しない範囲の設計変更等も含まれる。
設定パラメータの数及び種類は、前記した実施形態で説明したものに限定されない。また、設定ルールも、前記した実施形態で説明したものに限定されない。
【００９０】
前記した実施形態では、設定パラメータの組に対応する統計情報を提示することとして説明したが、本発明は、これに限定されない。例えば、本発明は、オペレータが入力した設定パラメータの組に関係なく、設定に失敗した回数が多い順に予め設定した数（例えば、設定失敗回数の上位３位）の統計情報を提示してもよい。これにより、オペレータは、設定の失敗が多発する設定パラメータの組を即座に判定できる。
【符号の説明】
【００９１】
１  管理システム
１０  管理装置
２０  ＨＭＩ
３０  管理対象装置
１００  事前入力部（設定パラメータ入力部）
１１０  統計情報検索部
１２０  統計情報データベース
１３０  ＮＧリストファイル記憶部（設定失敗リスト記録部）
１４０  入力部
１５０  コマンド変換部
１６０  実行制御部（設定パラメータ投入部）
１７０  統計情報更新部
１８０  出力部
【図１】
2017215885.tif 000003
【図２】
2017215885.tif 000004
【図３】
2017215885.tif 000005
【図４】
2017215885.tif 000006
【図５】
2017215885.tif 000007
【図６】
2017215885.tif 000008
【図７】
2017215885.tif 000009
【図８】
2017215885.tif 000010
【図９】
2017215885.tif 000011
【図１０】
2017215885.tif 000012
【図１１】
2017215885.tif 000013
【図１２】
2017215885.tif 000014